(57)【特許請求の範囲】
【請求項１】
色表現に必要な複数の単色光線を含む白色光線を供給する白色光線供給部と、該白色光線供給部から供給される前記白色光線を複数の単色光線に分離し、該分離された複数の単色光線のそれぞれをビデオ信号に基づいて選択的に供給する単色光線供給部と、該単色光線供給部から供給される前記複数の単色光線のそれぞれを前記ビデオ信号に基づいて各画素毎に選択的に透過させる液晶表示部と、を備え、
前記単色光線供給部が、前記白色光線を赤色光線、緑色光線又は青色光線のそれぞれの単色光線に分離する光分離部と、該光分離部によって分離された前記単色光線のそれぞれを前記ビデオ信号に基づいて選択的に通過させる第１ないし第３の３つの光バルブと、該３つの光バルブを通過した前記単色光線のそれぞれを前記液晶表示部に供給するための透光板と、を含み、
前記光分離部が、第１ないし第３の３つの選光部材から構成され、前記第１の選光部材は、前記白色光線供給部から供給される前記白色光線を受け、赤色光線、緑色光線又は青色光線のうちのいずれか１つの単色光線を前記第１の光バルブに向けて通過させ、該通過された単色光線以外の２つの単色光線を前記第２の選光部材に反射させるように配設され、前記第２の選光部材は、前記第１の選光部材で反射された前記２つの単色光線を受け、該２つの単色光線のうちの一方の単色光線を前記第３の選光部材に向けて通過させ、他方の単色光線を前記第２の光バルブに向けて反射させるように配設され、前記第３の選光部材は、前記第２の選光部材で通過された前記一方の単色光線を前記第３の光バルブに向けて反射させるように配設されたことを特徴とする液晶表示装置。
【請求項２】
前記第１ないし第３の選光部材を相互に平行に配列し、前記白色光線供給部から供給される前記白色光線の、前記第１の選光部材に対する入射角が略４５°となるように配設したことを特徴とする請求項１に記載の液晶表示装置。
【請求項３】
前記白色光線供給部と前記第１の選光部材との間の光路中に集束レンズを配設したことを特徴とする請求項１又は２に記載の液晶表示装置。
【請求項４】
前記第１ないし第３の選光部材と前記第１ないし第３の光バルブとの間に、前記第１ないし第３の選光部材から選択されて供給される前記単色光線のみを通過させる光伝導管を配設したことを特徴とする請求項１ないし３のいずれか１項に記載の液晶表示装置。
【請求項５】
前記光分離部が、略４５°に傾けると所定の波長の光のみを通過させ、その他の光を反射する第１ないし第４の４つのダイクロイックミラーから構成され、前記第１のダイクロイックミラーは、前記白色光線供給部から供給される前記白色光線を受け、赤色光線、緑色光線又は青色光線のうちのいずれか２つの単色光線を通過させて前記第３のダイクロイックミラーに入射させ、前記通過された２つの単色光線以外の１つの単色光線を前記第２のダイクロイックミラーに反射させるように配設され、前記第２のダイクロイックミラーは、前記第１のダイクロイックミラーから反射された前記１つの単色光線を前記第３の光バルブに向けて反射させるように配設され、前記第３のダイクロイックミラーは、前記第１のダイクロイックミラーから通過された前記２つの単色光線のうちのいずれか一方の単色光線を前記第１の光バルブに向けて通過させ、他方の単色光線を前記第４のダイクロイックミラーに向けて反射させるように配設され、前記第４のダイクロイックミラーは、前記第３のダイクロイックミラーから反射された前記他方の単色光線を前記第２の光バルブに向けて反射させるように配設されたことを特徴とする請求項１に記載の液晶表示装置。
【請求項６】
前記第１ないし第４のダイクロイックミラーを相互に平行に配列し、前記白色光線供給部から供給される前記白色光線の、前記第１のダイクロイックミラーに対する入射角が略４５°となるように配設したことを特徴とする請求項５に記載の液晶表示装置。
【請求項７】
前記白色光線供給部と前記第１のダイクロイックミラーとの間の光路中に集束レンズを配設したことを特徴とする請求項５又は６に記載の液晶表示装置。
【請求項８】
前記第３のダイクロイックミラーと前記第１の光バルブとの間、前記第４のダイクロイックミラーと前記第２の光バルブとの間、前記第２のダイクロイックミラーと前記第３の光バルブとの間に、前記第２ないし第４のダイクロイックミラーで選択された単色光線のみを通過させる光伝導管をそれぞれ配設したことを特徴とする請求項５ないし７のいずれか１項に記載の液晶表示装置。
【請求項９】
前記第１ないし第３の光バルブの後段に、前記第１ないし第３の光バルブが閉じているときに漏れる漏洩光線を吸収する光吸収管を配設したことを特徴とする請求項１ないし８のいずれか１項に記載の液晶表示装置。
【請求項１０】
前記光吸収管が、その内面を黒色に塗布されてなることを特徴とする請求項９に記載の液晶表示装置。
【請求項１１】
前記第１ないし第３の光バルブの前段に、前記分離部から分離されて供給される前記単色光線のそれぞれのみを通過させる光伝導管を配設したことを特徴とする請求項１に記載の液晶表示装置。
【請求項１２】
前記第１ないし第３の光バルブが、ポリマー分散型液晶（ＰＤＬＣ）から構成されてなることを特徴とする請求項１に記載の液晶表示装置。
【発明の詳細な説明】
【０００１】
【発明の属する技術分野】
本発明は、液晶表示装置（Ｌｉｑｕｉｄ  Ｃｒｙｓｔａｌ  Ｄｉｓｐｌａｙ）に関し、特にカラー表示が可能な液晶表示装置に関する。
【０００２】
【従来の技術】
近年、ＯＡ機器、パーソナルコンピュータ等の情報機器向けの表示装置として、液晶表示装置が広く一般に普及してきている。
【０００３】
液晶表示装置は、加わった電圧により分子の長軸の方向が変化するという液晶の物理的な性質を利用した表示装置であり、印加電圧に応じて分子の長軸の方向を適宜変化させることにより光線の通過の度合いを変化させ、これによって文字、画像等を表示するものである。
【０００４】
最近、液晶表示装置は、より大型化、カラー化する方向に向かってきており、これに伴って液晶表示装置の画素数も非常に増加してきている。多数の画素をダイレクトマトリックス型電極等によって制御することが難しいことから、このような大型ないしはカラーの液晶表示装置としては、各画素別に電極を形成した薄膜トランジスタ型液晶表示装置（ＴＦＴ−ＬＣＤ：Ｔｈｉｎ  Ｆｉｌｍ  Ｔｒａｎｓｉｓｔｏｒ  ＬＣＤ）が一般化されつつある。
【０００５】
図６は、従来の液晶表示装置（ＴＦＴ−ＬＣＤ）の概略を示す斜視図である。以下、図６を参照して従来のＴＦＴ−ＬＣＤの構成を説明する。
【０００６】
従来のＴＦＴ−ＬＣＤは、各画素に対応して電極５０が形成された下部基盤５１の上面に、カラーフィルタ５２が取り付けられた上部基盤５３を張り合わせることによって構成される。上部基盤５３、下部基盤５１の各外側には、偏光板５４、５４が取り付けられ、下部基盤５１の底面に取付けられた偏光板５４の外側には、光供給装置５５が設置される。ここで、光供給装置５５は、通常、透光板５６の両側に蛍光管５７を設置することによって構成される。
【０００７】
そして、このような構成により、液晶表示装置の各画素に対応して形成されている電極５０を用いて液晶分子の配列を変化させ、光供給装置５５からの光線を選択的に透過させることによって画像を表現する。
【０００８】
画像のカラー表現は、カラーフィルタを用いて行われる。カラーフィルタ５２は、各画素に対応するように形成された電極（通常１画素に３つの電極が対応する）に対応して、赤色Ｒ、緑色Ｇ、又は青色Ｂの蛍光物質が塗布されている。
【０００９】
液晶表示装置の作動時に、赤色Ｒ、緑色Ｇ、及び青色Ｂに関連した映像信号（「ビデオ信号」ともいう）が順次に画素を走査すると、液晶の分子配列がその映像信号に従って変わり光供給装置５５から供給された光線を通過させ、この光線がカラーフィルタ５２に塗布された赤色Ｒ、緑色Ｇ、又は青色Ｂの蛍光物質を発光させることによってカラー表現がなされる。
【００１０】
【発明が解決しようとする課題】
しかしながら、カラーフィルタは、写真俯角法のような工程を通じて液晶表示装置と同一の大きさに、しかも非常に高い精度で製作しなければならないことから、多大な費用が必要とされる。
【００１１】
従って、本発明は、液晶表示装置においてカラー表現のために通常使用されるカラーフィルタの代わりに、ビデオ信号に基づいてカラー表現のために必要な赤色Ｒ、緑色Ｇ、及び青色Ｇの各単色光線を選別して供給する単色光線供給部を備えた液晶表示装置を提供することを目的とする。
【００１２】
【課題を解決するための手段】
前記目的を達成するため、本発明は、色表現に必要な複数の単色光線を含む白色光線を供給する白色光線供給部と、該白色光線供給部から供給される前記白色光線を複数の単色光線に分離し、該分離された複数の単色光線のそれぞれをビデオ信号に基づいて選択的に供給する単色光線供給部と、該単色光線供給部から供給される前記複数の単色光線のそれぞれを前記ビデオ信号に基づいて各画素毎に選択的に透過させる液晶表示部と、を備え、
前記単色光線供給部が、前記白色光線を赤色光線、緑色光線又は青色光線のそれぞれの単色光線に分離する光分離部と、該光分離部によって分離された前記単色光線のそれぞれを前記ビデオ信号に基づいて選択的に通過させる第１ないし第３の３つの光バルブと、該３つの光バルブを通過した前記単色光線のそれぞれを前記液晶表示部に供給するための透光板と、を含み、前記光分離部が、第１ないし第３の３つの選光部材から構成され、前記第１の選光部材は、前記白色光線供給部から供給される前記白色光線を受け、赤色光線、緑色光線又は青色光線のうちのいずれか１つの単色光線を前記第１の光バルブに向けて通過させ、該通過された単色光線以外の２つの単色光線を前記第２の選光部材に反射させるように配設され、前記第２の選光部材は、前記第１の選光部材で反射された前記２つの単色光線を受け、該２つの単色光線のうちの一方の単色光線を前記第３の選光部材に向けて通過させ、他方の単色光線を前記第２の光バルブに向けて反射させるように配設され、前記第３の選光部材は、前記第２の選光部材で通過された前記一方の単色光線を前記第３の光バルブに向けて反射させるように配設されたことを特徴とする液晶表示装置を提供する。
【００１３】
【００１４】
【００１５】
さらにまた、本発明は、前記光分離部が、略４５°に傾けると所定の波長の光のみを通過させ、その他の光を反射する第１ないし第４の４つのダイクロイックミラーから構成され、前記第１のダイクロイックミラーは、前記白色光線供給部から供給される前記白色光線を受け、赤色光線、緑色光線又は青色光線のうちのいずれか２つの単色光線を通過させて前記第３のダイクロイックミラーに入射させ、前記通過された２つの単色光線以外の１つの単色光線を前記第２のダイクロイックミラーに反射させるように配設され、前記第２のダイクロイックミラーは、前記第１のダイクロイックミラーから反射された前記１つの単色光線を前記第３の光バルブに向けて反射させるように配設され、前記第３のダイクロイックミラーは、前記第１のダイクロイックミラーから通過された前記２つの単色光線のうちのいずれか一方の単色光線を前記第１の光バルブに向けて通過させ、他方の単色光線を前記第４のダイクロイックミラーに向けて反射させるように配設され、前記第４のダイクロイックミラーは、前記第３のダイクロイックミラーから反射された前記他方の単色光線を前記第２の光バルブに向けて反射させるように配設されたことを特徴とする液晶表示装置を提供する。
【００１６】
なお、本発明の液晶表示装置において、前記第１ないし第３の選光部材と前記第１ないし第３の光バルブとの間に、前記第１ないし第３の選光部材から選択されて供給される単色光線のみを通過させる光伝導管をそれぞれ配設するとよく、同様に、前記第３のダイクロイックミラーと前記第１の光バルブとの間、前記第４のダイクロイックミラーと前記第２の光バルブとの間、前記第２のダイクロイックミラーと前記第３の光バルブとの間に、前記第２ないし第４のダイクロイックミラーで選択された単色光線のみを通過させる光伝導管をそれぞれ配設するとよい。
【００１７】
また、本発明の液晶表示装置において、前記第１ないし第３の光バルブの後段に、該第１ないし第３の光バルブが閉じているときに漏れる漏洩光線を吸収する光吸収管を配設することが好ましい。
【００１８】
さらに、本発明の液晶表示装置において、前記第１ないし第３の光バルブの後段に、該第１ないし第３の光バルブのそれぞれから出される単色光線の直進性を強化するための直進性強化部を配設することが好ましい。
【００１９】
【発明の実施の形態】
以下、図面を参照して本発明の好ましい実施形態を詳細に説明する。
【００２０】
図１は、本発明の各実施形態に係る液晶表示装置の概略を示す斜視図である。以下、図１を参照して、本発明の各実施形態に係る液晶表示装置の構成を説明する。
【００２１】
本発明の各実施形態に係る液晶表示装置の液晶表示部６０は、上部基盤５３と、下部基盤５１と、これらの各基盤の外側にそれぞれ取り付けられた偏光板５４、５４と、から構成されており、上部基盤５３と下部基盤５１との間には液晶材料（図示しない）が注入されている。
【００２２】
液晶表示部６０の後方（下方）には、白色光線を供給する蛍光管５７と、蛍光管５７から供給された白色光線を分離して単色光線を供給する単色光線供給部５８と、液晶表示部６０に対して単色光線供給部５８から供給される単色光線を面光源に変換して照射するための透光板５６と、から構成される光供給部５５が設けられている。
【００２３】
ここで、蛍光管５７はガイド管１３と共に透光板５６の両側に設置されて白色光線供給部を構成し、単色光線供給部５８における色選別に必要な白色光線を供給する。なお、蛍光管５７から供給される白色光線は、単色光線供給部５８において、赤色光線Ｒ、緑色光線Ｇ、及び青色光線Ｂのそれぞれの単色光線に分離され、最終的に、透光板５６を介して液晶表示部６０に照射される。
【００２４】
また、単色光線供給部５８は、蛍光管５７とこれに連結される透光板５６との間に設置されるものであり、図１に示す液晶表示装置の場合には、設置された両側の蛍光管５７に対応して透光板５６の両側に設置される。なお、単色光線供給部５８の設置形態は図１に示すものに限られず、蛍光管５７の本数、配置、形状等に応じて種々の形態をとり得る。
【００２５】
図２は、本発明の一実施形態に係る液晶表示装置の単色光線供給部の概略を示す断面図である。
【００２６】
図１及び図２を参照して、本実施形態に係る液晶表示装置の構成を説明する。
【００２７】
本実施形態に係る単色光線供給部５８は、白色光線を赤色光線Ｒ、緑色光線Ｇ、及び青色光線Ｂの３種類の単色光線に分離するための光分離部と、光分離部によって分離された単色光線をそれぞれビデオ信号に基づいて選択的に通過させる第１ないし第３の光バルブ４、５、６と、を主要な構成として含み、第１ないし第３の光バルブ４、５、６から出る単色光線のそれぞれを透光板５６を介して液晶表示部６０に照射する。
【００２８】
ここで、前述した光分離部は、第１ないし第３の選光部材１０、１１、１２から構成されている。
【００２９】
第１の選光部材１０と第１の光バルブ４との間には、第１の光伝導管７が設置されており、第１の選光部材１０によって選択された赤色光線Ｒをより効果的に透光板５６に送り込むように設計されている。同様にして、第２の選光部材１１と第２の光バルブ５との間にも第２の光伝導管８が設置されており、第２の選光部材１１によって選択された緑色光線Ｇを、より効果的に透光板５６に送り込む。さらに、第３の選光部材１２と第３の光バルブ６との間にも第３の光伝導管９が設置されており、第３の選光部材１２によって選択された青色光線Ｂを、より効果的に透光板５６に送り込む。
【００３０】
第１ないし第３の光バルブ４、５、６は、ポリマー分散型液晶（ＰＤＬＣ：Ｐｏｌｙｍｅｒ  Ｄｉｓｐｅｒｓｅｄ  Ｌｉｑｕｅｆｉｅｄ  Ｃｒｙｓｔａｌ）によって製作することができ、電流印加時には光線を通過させ、電流遮断時には光線を遮断させる。
【００３１】
ＰＤＬＣで製作した第１ないし第３の光バルブ４、５、６が閉じている場合にも小量の光線が漏れ出ることがあり、このような好ましくない小量の漏洩光線を除去するために、第１の光バルブ４の第１の光伝導管７の反対側（第１の光バルブ４の後段、以下の説明においても同じ）には第１の光吸収管１が、第２の光バルブ５の第２の光伝導管８の反対側には第２の光吸収管２が、第３の光バルブ６の第３の光伝導管９の反対側には光吸収管３が設置されている。
【００３２】
ここで、第１ないし第３の光吸収管１、２、３の実施形態としては、例えば、その内面を黒色に塗布することが挙げられる。なお、第１ないし第３の光吸収管は、第１ないし第３の光バルブ４、５、６が閉じている場合に漏れる漏洩光線を除去するためのものであり、これらの光バルブが開いている場合であって、多量の光線が通過する場合の吸収の程度は、十分無視できるものである。
【００３３】
このような光吸収管を用いることにより、電流信号が入力されないときに閉じている第１ないし第３の光バルブ４、５、６を透過して漏れ出る小量の好ましくない漏洩光線を第１ないし第３の光吸収管１、２、３を用いて吸収できるため、液晶表示部６０におけるカラー表現をより鮮やかにすることができる。
【００３４】
なお、第１ないし第３の光バルブ４、５、６を、ＰＤＬＣの代わりに光線を完全に遮断できる材料で製作するのであれば、光吸収管を設置する必要はない。
【００３５】
蛍光管５７から供給された光線が第１の選光部材１０に入射されると、第１の選光部材１０は、赤色光線Ｒのみを第１の光バルブ４に向けて通過させ、他の光線は第２の選光部材１１に反射させるように設置されている。
【００３６】
第２の選光部材１１は、赤色光線Ｒと青色光線Ｂのみを第３の選光部材１２に向けて通過させ、他の光線である緑色光線Ｇは第２の光バルブ５に向けて反射させるように設置されている。
【００３７】
第３の選光部材１２は赤色光線Ｒと緑色光線Ｇのみを外部に通過させ、他の光線である青色光線Ｂは第３の光バルブ６に向けて反射させるように設置されている。
【００３８】
なお、蛍光管５７から供給される光線は一次的に第１の選光部材１０のみに入射される。
【００３９】
第１ないし第３の選光部材１０、１１、１２は、入射された光線を他の選光部材、あるいは、それぞれに対応する第１ないし第３の光伝導管７、８、９に向けて送れるように一定な角度に傾けて設置する。例えば、第１ないし第３の選光部材１０、１１、１２は相互に平行に配列され、蛍光管５７から供給される白色光線の第１の選光部材１０に対する入射角は４５°となるように設置する。なお、蛍光管５７と第１の選光部材１０との間の光通路には集束レンズ１４を設置する。
【００４０】
以下、図１ないし図２を参照して、本実施形態に係る液晶表示装置の動作を説明する。
【００４１】
蛍光管５７から放射された白色光線は、集束レンズ１４を通って集束され、第１の選光部材１０に入射される。集束レンズ１４は、蛍光管５７から供給されるビームを集束して光伝達効率を向上させるために用いられる。
【００４２】
第１の選光部材１０は、入射された白色光線に含まれる赤色光線Ｒのみを第１の光バルブ４に向けて通過させ、赤色光線Ｒを除いたその他の光線を第２の選光部材１１に向けて反射させる。
【００４３】
第２の選光部材１１は、第１の選光部材１０から反射された緑色光線Ｇ又は青色光線Ｂのうちの緑色光線Ｇを第２の光バルブ５に向けて反射させ、他の青色光線Ｂは第３の選光部材１２に向けて通過させる。
【００４４】
第３の選光部材１２は、第２の選光部材１１から反射された青色光線Ｂのみを第３の光バルブ６に向けて反射させる。
【００４５】
このように、光分離部においては、蛍光管５７から供給された白色光線が、第１ないし第３の選光部材１０、１１、１２によって赤色光線Ｒ、緑色光線Ｇ、及び青色光線Ｂに分離し、分離されたそれぞれの単色光線を第１ないし第３の光バルブ４、５、６に供給する。
【００４６】
そして、第１ないし第３の光バルブ４、５、６を、外部のビデオ信号供給装置から入力されるビデオ信号に基づいて制御し、第１ないし第３の選光部材１０、１１、１２から供給される赤色光線Ｒ、緑色光線Ｇ、及び青色光線Ｂの３色の色表示のための単色光線を、透光板５６を介して所定の間隔で順次繰り返し液晶表示部６０に照射するようにする。
【００４７】
なお、液晶表示部６０の各画素に対応する液晶表示素子は、秒当り２０フレーム以上の速度で入力されるＲＧＢのビデオ信号によって駆動するようにし、透光板５６を介して照射されるＲ、Ｇ、Ｂのそれぞれの単色光線の照射タイミングに合わせて、該当する表示色に関するビデオ信号を液晶表示素子に送り込み、液晶表示素子に含まれる液晶の分子配列の状態を変化させながら、赤色Ｒ、緑色Ｇ、青色Ｂの３色の単色光線を適切に通過させる。
【００４８】
すなわち、赤色光線Ｒが供給されている際に、赤色Ｒに関するビデオ信号に基づいて各画素から所望の強さで赤色光線Ｒを透過させるようにし、これと同様の制御を、所定のフレーム速度の下で、緑色Ｇ、青色Ｂの各単色光線についても行う。これにより、赤色Ｒ、緑色Ｇ、青色Ｂの３色が眼の視覚誤差を利用して合成され、カラーフィルターを用いることなく、最終的に完全なカラー映像を実現することができる。また、本発明の液晶表示部６０は、カラーフィルターを用いる場合と異なり、各画素に対して１つの液晶表示素子を設けるだけで済む。
【００４９】
図３は、本発明の他の実施形態に係る液晶表示装置の単色光線供給部の光分離部の構成を説明するための図である。
【００５０】
図３を参照して、本実施形態に係る単色光線供給部の光分離部の構成を説明する。なお、図３に示した光分離部は基本的に図１及び図２に示した液晶表示装置において実施されるものであり、以下の説明においても、適宜図１及び図２の符号を用いる。
【００５１】
本実施形態に係る光分離部は、約４５°に傾けると所定の波長を有する光のみを通過させ、その他は反射させるという特性を有する第１ないし第４の４つのダイクロイックミラー（ｄｉｃｈｒｏｉｃ  ｍｉｒｒｏｒ、色選別鏡）１５、１６、１７、１８から構成される。
【００５２】
具体的には、第１のダイクロイックミラー１５は、赤色光線Ｒ及び緑色光線Ｇを通過させて第３のダイクロイックミラー１７に入射させ、青色光線Ｂを第２のダイクロイックミラー１６に向けて反射させるように設置されている。
【００５３】
第２のダイクロイックミラー１６は、第１のダイクロイックミラー１５から反射された青色光線Ｂを第３の光バルブ６に向けて再反射させるように設置されている。
【００５４】
第３のダイクロイックミラー１７は、第１のダイクロイックミラー１５を通過した赤色光線Ｒ及び緑色光線Ｇのうちの赤色光線Ｒのみを第１の光バルブ４に向けて通過させ、緑色光線Ｇを第４のダイクロイックミラー１８に向けて再反射させるように設置されている。
【００５５】
第４のダイクロイックミラー１８は、第３のダイクロイックミラー１７から反射された緑色光線Ｇを第２の光バルブ５に向けて再反射させるように設置されている。
【００５６】
なお、光供給部１３、５７で発生される光線は一次的に第１のダイクロイックミラー１５のみに入射されるように設置される。第１ないし第４のダイクロイックミラー１５、１６、１７、１８は相互に平行に配列され、蛍光管５７から供給される白色光線の第１のダイクロイックミラー１５に対する入射角が４５°となるように設置される。
【００５７】
このように、前記実施形態の第１ないし第３の選光部材１０、１１、１２の代わりに第１ないし第４の４つのダイクロイックミラー１５、１６、１７、１８を用いる本実施形態に係る液晶表示装置によっても、前記実施形態と同様の作用効果を奏することができる。
【００５８】
図４は、前述した本発明の各実施形態に係る液晶表示装置の単色光線供給部に用いられる直進性強化部の概略を示す断面図である。
【００５９】
図４に示すように、第１ないし第３の光バルブ４、５、６から出される単色光線の直進性を強化するために、前記各実施形態に係る液晶表示装置において、光バルブの光の進行方向の前方に直進性強化部を設置することが好ましい。この直進性強化部は、第１ないし第３の光バルブ４、５、６の光の進行方向の前方（すなわち、光バルブの後段）に、それぞれの光バルブから出された単色光線を集束するための凸レンズ１９を設置し、凸レンズ１９の焦点位置にはスリット２０を有する光遮蔽板２１を設置し、さらに、光遮蔽板２１の前方には凹レンズ２２を設置することによって構成される。
【００６０】
図５は、図４に示した直進性強化部の作用を説明するための図である。
【００６１】
図５に示すように、第１ないし第３の光バルブ４、５、６を直線的に通過した色表示のための３種類の単色光線は、凸レンズ１９に直線的に入射してスリット２０に集束されると共に、散乱された光線が光遮蔽板２１によって遮断されることにより、視覚的な効果をより大きくすることができる。すなわち、第１ないし第３の光バルブ４、５、６の動作及び非動作がより明確に区分されるため、ノイズが除去されて液晶表示装置のカラー表現をより鮮やかにすることができる。
【００６２】
【発明の効果】
以上説明したように本発明の液晶表示装置によれば、カラーフィルターを用いることなく、鮮やかなカラー表現を実現することができる。
【００６３】
また、本発明の液晶表示装置によれば、白色光線からノイズの少ない単色光線を分離することができるため、より鮮明なカラー表現を得ることができる。
【図面の簡単な説明】
【図１】本発明の各実施形態に係る液晶表示装置の概略を示す斜視図である。
【図２】本発明の一実施形態に係る液晶表示装置の単色光線供給部の概略を示す断面図である。
【図３】本発明の他の実施形態に係る液晶表示装置の単色光線供給部の光分離部の構成を説明するための図である。
【図４】本発明の各実施形態に係る液晶表示装置の単色光線供給部に用いられる直進性強化部の概略を示す断面図である。
【図５】図４に示した直進性強化部の作用を説明するための図である。
【図６】従来の液晶表示装置の概略を示す斜視図である。
【符号の説明】
１、２、３  光吸収管
４、５、６  光バルブ
７、８、９  光伝導管
１０、１１、１２  選光部材（光分離部）
１３  ガイド管
１４  集束レンズ
１５、１６、１７、１８  ダイクロイックミラー
２０  スリット
２１  光遮蔽板
５１  下部基盤
５３  上部基盤
５４、５４  偏光板
５５  光供給装置
５６  透光板
５７  蛍光管
５８  単色光線供給部
６０  液晶表示部
【図１】
0003555093.tif 000002
【図２】
0003555093.tif 000003
【図３】
0003555093.tif 000004
【図４】
0003555093.tif 000005
【図５】
0003555093.tif 000006
【図６】
0003555093.tif 000007